(57)【要約】  【課題】  タイトルサーチ、チャプターサーチ、トラックサーチ、タイムサーチにおける数字キー入力の使い勝手を向上させることができる光ディスク装置を提供する。  【解決手段】  例えば、タイトルの個数（サーチ入力数字の最大の桁数）が２桁で「３７」の場合、タイトルの個数が２桁であることが検出され、数字３キーが押下されると、前記検出されたサーチ入力数字の最大桁数の桁数目に入力された数字「３」は最大数字「３」であるので、数字「３」は１０の位の数字として登録される。また、数字２キーが押下された場合、同様な処理により、数字「２」が１０の位の数字として登録される。しかし、１回目の数字入力として、数字「３」よりも大きい例えば数字「５」が入力されると、数字「５」が１の位の数字として登録される。【選択図】      図３
2007080350.tif 000002
【特許請求の範囲】
【請求項１】
光ディスクに記録された情報を再生、または光ディスクに対して情報の記録／再生を行
う光ディスク装置において、
ユーザのサーチ操作に応じて、光ディスクがＤＶＤにあっては、タイトルサーチ、チャ
プターサーチ、タイムサーチ、光ディスクがＣＤにあっては、トラックサーチ、タイムサ
ーチの何れかに設定するサーチ設定手段と、
前記サーチ設定手段によりタイトルサーチまたはチャプターサーチまたはトラックサー
チに設定されたときに、サーチ入力数字の最大の桁数を検出するサーチ最大桁数検出手段
と、
前記検出されたサーチ入力数字の最大桁数の桁数目に入力された数字は最大数字以下で
あるか否かを判定する最大数字判定手段と、
前記最大数字判定手段により前記入力された数字は最大数字以下であると判定されたと
き、前記入力された数字を前記最大桁数の位の数字として登録する最大桁数位数字登録手
段と、
前記最大数字判定手段により前記入力された数字は最大数字以下でないと判定されたと
き、前記入力された数字を前記最大桁数の位の下の位の数字として登録する下位数字登録
手段と、
１桁目への入力数字が最大数字を超えるときに該入力数字を無効にする入力無効手段と
、
前記サーチ設定手段によりタイムサーチに設定されたときに、サーチ入力数字のサーチ
の最大時間数を検出するサーチ最大時間数検出手段と、
前記検出されたサーチ入力数字の時間数の時間桁への入力数字は最大数字であるか最大
数字未満であるかを判定する最大数字／未満判定手段と、
前記最大数字／未満判定手段により前記入力数字は最大数字であると判定されたとき、
前記入力数字を時間桁の数字として登録する時間桁数字登録手段と、
前記時間桁数字登録手段により前記入力数字が時間桁の数字として登録された場合に、
分桁の数字をタイムサーチの最大の分の数字まで入力可能にする分数字入力可能手段と、
入力数字が分桁の数字として登録された場合に、秒桁の数字をタイムサーチの最大の秒
の数字まで入力可能にする秒数字入力可能手段と、
前記最大数字／未満判定手段により前記入力数字は最大数字未満であると判定されたと
き、分桁および秒桁への数字はそれぞれ０〜５９まで入力可能にする分秒数字入力可能手
段と、
前記分数字入力可能手段または前記分秒数字入力可能手段により入力可能になった範囲
で入力された分桁の数字を登録する分桁数字登録手段と、
前記秒数字入力可能手段または前記分秒数字入力可能手段により入力可能になった範囲
で入力された秒桁の数字を登録する秒桁数字登録手段とを、有するシステムコントローラ
を備えたことを特徴とする光ディスク装置。
【請求項２】
光ディスクに記録された情報を再生、または光ディスクに対して情報の記録／再生を行
う光ディスク装置において、
タイトルサーチまたはチャプターサーチまたはトラックサーチに設定されたときに、サ
ーチ入力数字の最大の桁数を検出し、この検出されたサーチ入力数字の最大桁数の桁数目
に入力された数字が、最大数字以下であるとき前記入力された数字を前記最大桁数の位の
数字として登録し、最大数字以下でないとき前記入力された数字を前記最大桁数の位の下
の位とし、１桁目への入力数字が最大数字を超えるとき該入力数字を無効にするシステム
コントローラを備えたことを特徴とする光ディスク装置。
【請求項３】
光ディスクに記録された情報を再生、または光ディスクに対して情報の記録／再生を行
う光ディスク装置において、
タイムサーチに設定されたときに、サーチ入力数字のサーチの最大時間数を検出し、こ
の検出されたサーチ入力数字の時間数の時間桁への入力数字が、最大数字であるとき前記
入力数字を時間桁の数字として登録し、この後、分桁の数字をタイムサーチの最大の分の
数字まで入力可能にし、また、入力数字が分桁の数字として登録された場合に、秒桁の数
字をタイムサーチの最大の秒の数字まで入力可能にし、分桁および秒桁への入力数字が最
大数字未満であるとき、分桁および秒桁への数字は、それぞれ０〜５９まで入力可能にす
るシステムコントローラを備えたことを特徴とする光ディスク装置。
【請求項４】
前記システムコントローラは、ユーザのサーチ操作に応じて、光ディスクがＤＶＤにあ
っては、タイトルサーチ、チャプターサーチ、タイムサーチ、光ディスクがＣＤにあって
は、トラックサーチ、タイムサーチの何れかに設定するサーチ設定手段と、前記サーチ設
定手段によりタイトルサーチまたはチャプターサーチまたはトラックサーチに設定された
ときに、サーチ入力数字の最大の桁数を検出するサーチ最大桁数検出手段と、前記検出さ
れたサーチ入力数字の最大桁数の桁数目に入力された数字は最大数字以下であるか否かを
判定する最大数字判定手段と、前記最大数字判定手段により前記入力された数字は最大数
字以下であると判定されたとき、前記入力された数字を前記最大桁数の位の数字として登
録する最大桁数位数字登録手段と、前記最大数字判定手段により前記入力された数字は最
大数字以下でないと判定されたとき、前記入力された数字を前記最大桁数の位の下の位の
数字として登録する下位数字登録手段と、１桁目への入力数字が最大数字を超えるときに
該入力数字を無効にする入力無効手段とを有することを特徴とする請求項２に記載の光デ
ィスク装置。
【請求項５】
前記システムコントローラは、サーチ設定手段によりタイムサーチに設定されたときに
、サーチ入力数字のサーチの最大時間数を検出するサーチ最大時間数検出手段と、前記検
出されたサーチ入力数字の時間数の時間桁への入力数字は最大数字であるか最大数字未満
であるかを判定する最大数字／未満判定手段と、前記最大数字／未満判定手段により前記
入力数字は最大数字であると判定されたとき、前記入力数字を時間桁の数字として登録す
る時間桁数字登録手段と、前記時間桁数字登録手段により前記入力数字が時間桁の数字と
して登録された場合に、分桁の数字をタイムサーチの最大の分の数字まで入力可能にする
分数字入力可能手段と、入力数字が分桁の数字として登録された場合に、秒桁の数字をタ
イムサーチの最大の秒の数字まで入力可能にする秒数字入力可能手段と、前記最大数字／
未満判定手段により前記入力数字は最大数字未満であると判定されたとき、分桁および秒
桁への数字はそれぞれ０〜５９まで入力可能にする分秒数字入力可能手段と、前記分数字
入力可能手段または前記分秒数字入力可能手段により入力可能になった範囲で入力された
分桁の数字を登録する分桁数字登録手段と、前記秒数字入力可能手段または前記分秒数字
入力可能手段により入力可能になった範囲で入力された秒桁の数字を登録する秒桁数字登
録手段とを有することを特徴とする請求項３に記載の光ディスク装置。
【発明の詳細な説明】
【技術分野】
【０００１】
本発明は、光ディスク装置に記録された情報を再生、または光ディスクに対して情報の
記録／再生を行う光ディスク装置に関し、特に、タイトルサーチ、チャプターサーチ、ト
ラックサーチ、タイムサーチなどを行うまでに入力される数字の入力処理に関する。
【背景技術】
【０００２】
ＤＶＤ（デジタル・バーサタイル・ディスク）やＣＤ（コンパクト・ディスク）などの
光ディスクに記録された情報を再生する装置として、ＤＶＤプレイヤやＤＶＤレコーダな
どの光ディスク装置が普及している。ＤＶＤから所望の情報を早く探し出して再生する場
合は、タイトルサーチ、チャプターサーチ、タイムサーチが用いられ、また、ＣＤから所
望の情報を早く探し出して再生する場合は、トラックサーチ、タイムサーチが用いられる
ことが多い。
【０００３】
例えば、ＤＶＤを再生する場合において、タイトルサーチまたはチャプターサーチまた
はタイムサーチを行う際、先ず、再生すべきＤＶＤを光ディスク装置に装填した後、リモ
コンのメニューキーを押下して、ディスプレイ装置に表示されたメニュー画面上のメニュ
ー項目の中からタイトルサーチまたはチャプターサーチまたはタイムサーチをリモコンの
方向キーの押下により選択して決定キーを押下して決定すると、装置がタイトルサーチま
たはチャプターサーチまたはタイムサーチに設定される。
【０００４】
また、ＣＤを再生する場合で、トラックサーチまたはタイムサーチを行う際、先ず、再
生すべきＣＤを光ディスク装置に装填した後、リモコンのメニューキーを押下して、ディ
スプレイ装置に表示されたメニュー画面上のメニュー項目の中からトラックサーチまたは
タイムサーチをリモコンの方向キーの押下により選択して決定キーを押下して決定すると
、装置がトラックサーチまたはタイムサーチに設定される。
【特許文献１】特開２００５−６３６１０号公報
【特許文献２】特許第３５３７９９２号公報
【特許文献３】特許第２６１５６１８号公報
【発明の開示】
【発明が解決しようとする課題】
【０００５】
ところが、従来の光ディスク装置では、上記のようにして各サーチが設定されるが、こ
の設定の際に入力される数字はサーチ可能な数を考慮せずに、何でも入力可能になってお
り、実際にサーチ動作に移る直前にサーチ不可能な数字であれば、サーチができないこと
をディスプレイ装置に表示して知らせるようにしているが、このような場合に、再度、数
字の入力操作を最初から行わなければならないので、サーチ機能の使い勝手が劣るという
課題があった。
【０００６】
例えば、１２タイトルしか記録されていないＤＶＤに対してタイトルサーチを行う場合
、１回目の入力時に数字「１」が入力された場合は、その数字「１」は１０の位の数字と
して登録されるが、例えば、数字「３」が入力された場合は、タイトルサーチができない
ことがディスプレイ装置に表示される。また、１回目の入力時に数字「１」が入力され、
１０の位の数字として登録された後、２回目の入力時に例えば、数字「５」が１の位の数
字として入力された場合は、１５タイトルを示すことになるので、この場合、タイトルサ
ーチができないことがディスプレイ装置に表示されるが、再度、数字の入力操作を最初か
ら行わなければならないので、サーチ機能の使い勝手が劣るという課題があった。
【０００７】
なお、特許文献１の従来技術は、入力手段で時間が入力されると、その入力時間を総時
間と比較し、入力時間が総時間を超えているときは、無効入力とした上、表示部の何れか
の桁に総時間内で入力可能な上限値を表示させるタイムサーチ装置であるが、入力時間が
総時間を超えれば、入力を無効としているので、再度、最初から入力をやり直さなければ
ならないので、サーチ機能の使い勝手が劣り、また、この従来技術は、タイトルサーチ、
チャプターサーチ、トラックサーチについては開示されていない。
【０００８】
特許文献２の従来技術は、ＣＤやＭＤの光ディスクを再生するディスク再生装置であり
、例えば、ディスクトラックの１トラックの大きさを１とした場合の小数点以下の数字に
対応する任意の位置をサーチして再生しているが、本件で言うタイトルサーチ、チャプタ
ーサーチ、トラックサーチ、タイムサーチの入力数字の設定については開示されていない
。
【０００９】
特許文献３の従来技術は、点灯された表示素子の状態を知ることにより、プログラム再
生の設定を簡易に行うものであり、タイトルサーチ、チャプターサーチ、トラックサーチ
、タイムサーチの入力数字の設定に関するものではない。
【００１０】
本発明は、上記のような課題を解決するためになされたもので、タイトルサーチ、チャ
プターサーチ、トラックサーチ、タイムサーチにおける数字キー入力の使い勝手を向上さ
せることができる光ディスク装置を提供することを目的とする。
【課題を解決するための手段】
【００１１】
上記目的を達成するために、請求項１の発明は、光ディスクに記録された情報を再生、
または光ディスクに対して情報の記録／再生を行う光ディスク装置において、ユーザのサ
ーチ操作に応じて、光ディスクがＤＶＤにあっては、タイトルサーチ、チャプターサーチ
、タイムサーチ、光ディスクがＣＤにあっては、トラックサーチ、タイムサーチの何れか
に設定するサーチ設定手段と、前記サーチ設定手段によりタイトルサーチまたはチャプタ
ーサーチまたはトラックサーチに設定されたときに、サーチ入力数字の最大の桁数を検出
するサーチ最大桁数検出手段と、前記検出されたサーチ入力数字の最大桁数の桁数目に入
力された数字は最大数字以下であるか否かを判定する最大数字判定手段と、前記最大数字
判定手段により前記入力された数字は最大数字以下であると判定されたとき、前記入力さ
れた数字を前記最大桁数の位の数字として登録する最大桁数位数字登録手段と、前記最大
数字判定手段により前記入力された数字は最大数字以下でないと判定されたとき、前記入
力された数字を前記最大桁数の位の下の位の数字として登録する下位数字登録手段と、１
桁目への入力数字が最大数字を超えるときに該入力数字を無効にする入力無効手段と、前
記サーチ設定手段によりタイムサーチに設定されたときに、サーチ入力数字のサーチの最
大時間数を検出するサーチ最大時間数検出手段と、前記検出されたサーチ入力数字の時間
数の時間桁への入力数字は最大数字であるか最大数字未満であるかを判定する最大数字／
未満判定手段と、前記最大数字／未満判定手段により前記入力数字は最大数字であると判
定されたとき、前記入力数字を時間桁の数字として登録する時間桁数字登録手段と、前記
時間桁数字登録手段により前記入力数字が時間桁の数字として登録された場合に、分桁の
数字をタイムサーチの最大の分の数字まで入力可能にする分数字入力可能手段と、入力数
字が分桁の数字として登録された場合に、秒桁の数字をタイムサーチの最大の秒の数字ま
で入力可能にする秒数字入力可能手段と、前記最大数字／未満判定手段により前記入力数
字は最大数字未満であると判定されたとき、分桁および秒桁への数字はそれぞれ０〜５９
まで入力可能にする分秒数字入力可能手段と、前記分数字入力可能手段または前記分秒数
字入力可能手段により入力可能になった範囲で入力された分桁の数字を登録する分桁数字
登録手段と、前記秒数字入力可能手段または前記分秒数字入力可能手段により入力可能に
なった範囲で入力された秒桁の数字を登録する秒桁数字登録手段とを有するシステムコン
トローラを備えたことを特徴とする光ディスク装置を提供する。
【００１２】
この構成において、例えば、ＤＶＤが装填された後、サーチ設定手段によりタイトルサ
ーチに設定されたとき、サーチ最大桁数検出手段は、サーチ入力数字の最大の桁数を検出
する。例えばタイトルの個数（サーチ入力数字の最大の桁数）が２桁で「３７」の場合と
、タイトルの個数（サーチ入力数字の最大の桁数）が１桁で「８」の場合とを考えると、
サーチ最大桁数検出手段は、タイトルの個数（サーチ入力数字の最大の桁数）が２桁であ
ることを検出し、この後、１回目の数字入力として、リモコンの数字３キーが押下される
と、最大数字判定手段は、前記検出されたサーチ入力数字の最大桁数の桁数目に入力され
た数字「３」は最大数字「３」以下であるか否かを判定する。この場合、サーチ入力数字
の最大桁数の桁数目に入力された数字「３」は最大数字「３」であるので、最大桁数位数
字登録手段は、数字「３」を１０の位の数字として登録する。
【００１３】
また、１回目の数字入力として、数字２キーが押下された場合、同様な処理により、数
字「２」が１０の位の数字として登録される。また、１回目の数字入力として、数字１キ
ーが押下された場合、同様な処理により、数字「１」が１０の位の数字として登録される
。また、１回目の数字入力として、数字０キーが押下された場合、同様な処理により、数
字「０」が１０の位の数字として登録される。
【００１４】
ところが、１回目の数字入力として、数字「３」よりも大きい例えば数字「５」が入力
されると、下位数字登録手段は、数字「５」を１の位の数字として登録する。入力数字が
１０の位の数字として登録された後、１桁目の数字として数字キー入力があり、入力数字
が最大数字以下であると、その入力数字が１の位の数字として登録される。この例の場合
、タイトル「３５」をサーチするとすると、数字「３」が１０の位の数字として登録され
た後、数字「５」が１の位の数字として登録される。
【００１５】
しかし、１桁目の数字としての数字キー入力が数字「８」や数字「９」であるときは、
入力数字はタイトルが「３７」の１桁目の数字「７」よりも大きくなるので、入力無効手
段は、その数字「８」や数字「９」を無効にする。そして、もう一度、数字「７」以下の
数字を入力すると、その数字が１の位の数字として登録される。
【００１６】
この構成によれば、例えば、タイトルの個数が３７個しかないＤＶＤに対してタイトル
サーチを行う場合、１回目の数字入力時に「０」または「１」または「２」または「３」
が入力された場合は、１０の位の数字として登録され、それ以上の数字が入力された場合
は、１の位の数字として登録される。したがって、タイトル、チャプター、トラックの個
数の最大値（最大数字）を超えるような数字入力を制限することができ、これにより、タ
イトルサーチ、チャプターサーチ、トラックサーチにおける数字キー入力の使い勝手が向
上し、また、誤操作などの防止にも繋がる。
【００１７】
一方、サーチ設定手段によりタイムサーチに設定されると、サーチ最大時間数検出手段
は、サーチ入力数字のサーチの最大時間数を検出する。例えば、サーチの最大時間数は１
時間２３分４５秒として説明する。
【００１８】
サーチ入力数字の時間桁の数字としてリモコンを操作して数字キー入力が行われると、
最大数字／未満判定手段は、１回目の入力数字が最大数字（この例では「１」）であるか
最大数字未満であるかを判定する。前記入力数字が最大数字（この例では「１」）である
と判定されたとき、時間桁数字登録手段は、前記入力数字「１」を時間桁の数字として登
録する。
【００１９】
この後、分数字入力可能手段は、分桁の数字をタイムサーチの最大の分の数字まで入力
可能にする。この例の場合、最大の分の数字は、「２３」であるので、分桁の数字は「２
３」まで入力可能にする。そして、サーチ入力数字の分桁の数字としてリモコンを操作し
て数字キー入力が行われると、分桁数字登録手段は、前記分桁の数字として入力された数
字（この場合、「２３」）を登録する。
【００２０】
次に、秒桁数字登録手段は、秒桁の数字をタイムサーチの最大の秒の数字まで入力可能
にする。この例の場合、最大の秒の数字は、「４５」であるので、秒桁の数字は「４５」
まで入力可能にする。そして、サーチ入力数字の秒桁の数字としてリモコンを操作して数
字キー入力が行われると、秒桁数字登録手段は、前記秒桁の数字として入力された数字（
この場合、「４５」）を登録する。
【００２１】
一方、入力数字が最大数字未満であると判定された場合、この例では、時間の数字「１
」未満の数字「０」であると判定された場合、分秒数字入力可能手段は、分桁および秒桁
への数字を「０〜５９」まで入力可能にする。そして、サーチ入力数字の分桁の数字とし
てリモコンを操作して数字キー入力が行われると、分桁数字登録手段は、前記分桁の数字
として入力された数字（この場合、「０〜５９」までの何れかの数字）を登録する。この
後、サーチ入力数字の秒桁の数字としてリモコンを操作して数字キー入力が行われると、
秒桁数字登録手段は、前記秒桁の数字として入力された数字（この場合「０〜５９」まで
の何れかの数字）を登録する。
【００２２】
この構成によれば、入力する数字が互いに関係し合うタイムサーチにおいても、サーチ
不可能な数字は入力させない。例えば、１：２３：４５のタイトルやチャプターをタイム
サーチする場合、「時」の入力は「０」「１」のみとなり、「０」を入力した場合は、「
分」および「秒」は「０〜５９」まで入力可能であるが、「１」を入力した場合は、「分
」は「０〜２３」まで、更に「分」に「２３」を入力した場合は、「秒」は「４５」まで
入力が可能となる。このような処理を行うことにより、タイムサーチにおける数字キー入
力の使い勝手が向上し、また、誤操作などの防止にも繋がる。
【００２３】
請求項２の発明は、光ディスクに記録された情報を再生、または光ディスクに対して情
報の記録／再生を行う光ディスク装置において、タイトルサーチまたはチャプターサーチ
またはトラックサーチに設定されたときに、サーチ入力数字の最大の桁数を検出し、この
検出されたサーチ入力数字の最大桁数の桁数目に入力された数字が、最大数字以下である
とき前記入力された数字を前記最大桁数の位の数字として登録し、最大数字以下でないと
き前記入力された数字を前記最大桁数の位の下の位とし、１桁目への入力数字が最大数字
を超えるとき該入力数字を無効にするシステムコントローラを備えたことを特徴とする光
ディスク装置を提供する。
【００２４】
この構成において、光ディスクが装填され、タイトルサーチまたはチャプターサーチま
たはトラックサーチに設定されたときに、サーチ入力数字の最大の桁数が検出され、この
検出されたサーチ入力数字の最大桁数の桁数目に入力された数字が、最大数字以下である
とき前記入力された数字は、前記最大桁数の位の数字として登録され、最大数字以下でな
いとき前記入力された数字は前記最大桁数の位の下の位とされ、１桁目への入力数字が最
大数字を超えるとき該入力数字は無効とされる。
【００２５】
この構成によれば、タイトル、チャプター、トラックの個数の最大値（最大数字）を超
えるような数字入力を制限することができ、これにより、タイトルサーチ、チャプターサ
ーチ、トラックサーチにおける数字キー入力の使い勝手が向上し、また、誤操作などの防
止にも繋がる。
【００２６】
請求項３の発明は、光ディスクに記録された情報を再生、または光ディスクに対して情
報の記録／再生を行う光ディスク装置において、タイムサーチに設定されたときに、サー
チ入力数字のサーチの最大時間数を検出し、この検出されたサーチ入力数字の時間数の時
間桁への入力数字が、最大数字であるとき前記入力数字を時間桁の数字として登録し、こ
の後、分桁の数字をタイムサーチの最大の分の数字まで入力可能にし、また、入力数字が
分桁の数字として登録された場合に、秒桁の数字をタイムサーチの最大の秒の数字まで入
力可能にし、分桁および秒桁への入力数字が最大数字未満であるとき、分桁および秒桁へ
の数字は、それぞれ０〜５９まで入力可能にするシステムコントローラを備えたことを特
徴とする光ディスク装置を提供する。
【００２７】
この構成において、タイムサーチに設定されたときに、サーチ入力数字のサーチの最大
時間数が検出され、この検出されたサーチ入力数字の時間数の時間桁への入力数字が、最
大数字であるとき前記入力数字が時間桁の数字として登録され、この後、分桁の数字がタ
イムサーチの最大の分の数字まで入力可能になり、また、入力数字が分桁の数字として登
録された場合に、秒桁の数字はタイムサーチの最大の秒の数字まで入力可能になり、分桁
および秒桁への入力数字が最大数字未満であるとき、分桁および秒桁への数字は、それぞ
れ０〜５９まで入力可能になる。
【００２８】
この構成によれば、入力する数字が互いに関係し合うタイムサーチにおいても、サーチ
不可能な数字は入力させないので、タイムサーチにおける数字キー入力の使い勝手が向上
し、また、誤操作などの防止にも繋がる。
【００２９】
請求項４の発明では、請求項２の発明において、前記システムコントローラは、ユーザ
のサーチ操作に応じて、光ディスクがＤＶＤにあっては、タイトルサーチ、チャプターサ
ーチ、タイムサーチ、光ディスクがＣＤにあっては、トラックサーチ、タイムサーチの何
れかに設定するサーチ設定手段と、前記サーチ設定手段によりタイトルサーチまたはチャ
プターサーチまたはトラックサーチに設定されたときに、サーチ入力数字の最大の桁数を
検出するサーチ最大桁数検出手段と、前記検出されたサーチ入力数字の最大桁数の桁数目
に入力された数字は最大数字以下であるか否かを判定する最大数字判定手段と、前記最大
数字判定手段により前記入力された数字は最大数字以下であると判定されたとき、前記入
力された数字を前記最大桁数の位の数字として登録する最大桁数位数字登録手段と、前記
最大数字判定手段により前記入力された数字は最大数字以下でないと判定されたとき、前
記入力された数字を前記最大桁数の位の下の位の数字として登録する下位数字登録手段と
、１桁目への入力数字が最大数字を超えるときに該入力数字を無効にする入力無効手段と
を有する。
【００３０】
したがって、前記システムコントローラは、サーチ設定処理、サーチ最大桁数検出処理
、最大数字判定処理、最大桁数位数字登録処理、下位数字登録処理、および入力無効処理
を実現でき、これにより、タイトル、チャプター、トラックの個数の最大値（最大数字）
を超えるような数字入力を制限することが可能になる。
【００３１】
請求項５の発明では、請求項３の発明において、前記システムコントローラは、サーチ
設定手段によりタイムサーチに設定されたときに、サーチ入力数字のサーチの最大時間数
を検出するサーチ最大時間数検出手段と、前記検出されたサーチ入力数字の時間数の時間
桁への入力数字は最大数字であるか最大数字未満であるかを判定する最大数字／未満判定
手段と、前記最大数字／未満判定手段により前記入力数字は最大数字であると判定された
とき、前記入力数字を時間桁の数字として登録する時間桁数字登録手段と、前記時間桁数
字登録手段により前記入力数字が時間桁の数字として登録された場合に、分桁の数字をタ
イムサーチの最大の分の数字まで入力可能にする分数字入力可能手段と、入力数字が分桁
の数字として登録された場合に、秒桁の数字をタイムサーチの最大の秒の数字まで入力可
能にする秒数字入力可能手段と、前記最大数字／未満判定手段により前記入力数字は最大
数字未満であると判定されたとき、分桁および秒桁への数字はそれぞれ０〜５９まで入力
可能にする分秒数字入力可能手段と、前記分数字入力可能手段または前記分秒数字入力可
能手段により入力可能になった範囲で入力された分桁の数字を登録する分桁数字登録手段
と、前記秒数字入力可能手段または前記分秒数字入力可能手段により入力可能になった範
囲で入力された秒桁の数字を登録する秒桁数字登録手段とを有する。
【００３２】
したがって、前記システムコントローラは、サーチ最大時間数検出処理、最大数字／未
満判定処理、時間桁数字登録処理、分数字入力可能処理、秒数字入力可能処理、分秒数字
入力可能処理、分桁数字登録処理、および秒桁数字登録処理を実現でき、これにより、入
力する数字が互いに関係し合うタイムサーチにおいても、サーチ不可能な数字は入力させ
なくすることを可能にする。
【発明の効果】
【００３３】
以上のように本発明によれば、ユーザのサーチ操作に応じて、光ディスクがＤＶＤにあ
っては、タイトルサーチ、チャプターサーチ、タイムサーチ、光ディスクがＣＤにあって
は、トラックサーチ、タイムサーチの何れかに設定するサーチ設定手段と、前記サーチ設
定手段によりタイトルサーチまたはチャプターサーチまたはトラックサーチに設定された
ときに、サーチ入力数字の最大の桁数を検出するサーチ最大桁数検出手段と、前記検出さ
れたサーチ入力数字の最大桁数の桁数目に入力された数字は最大数字以下であるか否かを
判定する最大数字判定手段と、前記最大数字判定手段により前記入力された数字は最大数
字以下であると判定されたとき、前記入力された数字を前記最大桁数の位の数字として登
録する最大桁数位数字登録手段と、前記最大数字判定手段により前記入力された数字は最
大数字以下でないと判定されたとき、前記入力された数字を前記最大桁数の位の下の位の
数字として登録する下位数字登録手段と、１桁目への入力数字が最大数字を超えるときに
該入力数字を無効にする入力無効手段と、前記サーチ設定手段によりタイムサーチに設定
されたときに、サーチ入力数字のサーチの最大時間数を検出するサーチ最大時間数検出手
段と、前記検出されたサーチ入力数字の時間数の時間桁への入力数字は最大数字であるか
最大数字未満であるかを判定する最大数字／未満判定手段と、前記最大数字／未満判定手
段により前記入力数字は最大数字であると判定されたとき、前記入力数字を時間桁の数字
として登録する時間桁数字登録手段と、前記時間桁数字登録手段により前記入力数字が時
間桁の数字として登録された場合に、分桁の数字をタイムサーチの最大の分の数字まで入
力可能にする分数字入力可能手段と、入力数字が分桁の数字として登録された場合に、秒
桁の数字をタイムサーチの最大の秒の数字まで入力可能にする秒数字入力可能手段と、前
記最大数字／未満判定手段により前記入力数字は最大数字未満であると判定されたとき、
分桁および秒桁への数字はそれぞれ０〜５９まで入力可能にする分秒数字入力可能手段と
、前記分数字入力可能手段または前記分秒数字入力可能手段により入力可能になった範囲
で入力された分桁の数字を登録する分桁数字登録手段と、前記秒数字入力可能手段または
前記分秒数字入力可能手段により入力可能になった範囲で入力された秒桁の数字を登録す
る秒桁数字登録手段とを有するシステムコントローラを備えたので、タイトル、チャプタ
ー、トラックの個数の最大値（最大数字）を超えるような数字入力を制限することができ
、これにより、タイトルサーチ、チャプターサーチ、トラックサーチにおける数字キー入
力の使い勝手が向上し、また、誤操作などの防止にも繋がる。また、入力する数字が互い
に関係し合うタイムサーチにおいても、サーチ不可能な数字は入力させないので、タイム
サーチにおける数字キー入力の使い勝手が向上し、また、誤操作などの防止にも繋がる。
【００３４】
また、本発明によれば、タイトルサーチまたはチャプターサーチまたはトラックサーチ
に設定されたときに、サーチ入力数字の最大の桁数を検出し、この検出されたサーチ入力
数字の最大桁数の桁数目に入力された数字が、最大数字以下であるとき前記入力された数
字を前記最大桁数の位の数字として登録し、最大数字以下でないとき前記入力された数字
を前記最大桁数の位の下の位とし、１桁目への入力数字が最大数字を超えるとき該入力数
字を無効にするシステムコントローラを備えたので、タイトル、チャプター、トラックの
個数の最大値（最大数字）を超えるような数字入力を制限することができ、これにより、
タイトルサーチ、チャプターサーチ、トラックサーチにおける数字キー入力の使い勝手が
向上し、また、誤操作などの防止にも繋がる。
【００３５】
また、本発明によれば、タイムサーチに設定されたときに、サーチ入力数字のサーチの
最大時間数を検出し、この検出されたサーチ入力数字の時間数の時間桁への入力数字が、
最大数字であるとき前記入力数字を時間桁の数字として登録し、この後、分桁の数字をタ
イムサーチの最大の分の数字まで入力可能にし、また、入力数字が分桁の数字として登録
された場合に、秒桁の数字をタイムサーチの最大の秒の数字まで入力可能にし、分桁およ
び秒桁への入力数字が最大数字未満であるとき、分桁および秒桁への数字は、それぞれ０
〜５９まで入力可能にするシステムコントローラを備えたので、入力する数字が互いに関
係し合うタイムサーチにおいても、サーチ不可能な数字は入力させないようになり、これ
により、タイムサーチにおける数字キー入力の使い勝手が向上し、また、誤操作などの防
止にも繋がる。
【発明を実施するための最良の形態】
【００３６】
以下、添付図面を参照しつつ、本発明の実施の形態について説明する。図１は本発明の
一実施形態に係る光ディスク装置の構成を示すブロック図である。ここでは、ＤＶＤレコ
ーダなどの光ディスク装置の構成について説明するが、ＤＶＤプレイヤなどの光ディスク
装置についても、同じように、タイトルサーチ、チャプターサーチ、トラックサーチ、タ
イムサーチなどを行うまでに入力される数字の入力処理を適用できることは言うまでもな
い。
【００３７】
この光ディスク装置は、光ディスク１を回転させるスピンドルモータ５と、光ディスク
１に対して情報の記録／再生を行うためのレーザ光を出射すると共に光ディスク１からの
反射光を受光する光ピックアップ２と、この光ピックアップ２を光ディスク１の半径方向
に移動させるためのスレッド３と、システムコントローラ２２の指示に応じて、モータ駆
動回路３４を介してスピンドルモータ５、およびスレッド３を駆動すると共に光ピックア
ップ２に内蔵された対物レンズ（図示せず）を動かすことによりレーザ光の焦点位置を光
ディスク１の記録面に対して垂直方向および水平方向に移動させる制御を行うサーボ制御
部４とを備えている。
【００３８】
また、この光ディスク装置は、光ディスク１の再生時に光ピックアップ２からの読取信
号であるＲＦ信号を増幅するＲＦアンプ６と、このＲＦアンプ６から出力されたＲＦ信号
をデジタルデータに変換した後に光ディスク１のデータフォーマットに応じた信号復調処
理とＥＣＣエラー訂正処理を行って生成したデータをＲＡＭ７に格納するデジタル信号処
理部８と、システムコントローラ２２の指示に応じてデジタル信号処理部８から出力され
たデータストリームの中からオーディオデータとサブピクチャデータとビデオデータとを
分離するストリーム分離部９とを備えている。
【００３９】
また、この光ディスク装置は、ストリーム分離部９から出力されたオーディオデータを
入力して所定のデコード処理を行うオーディオデコーダ１１と、このオーディオデコーダ
１１でのデコード処理を行うためにデータを一時的に格納するＲＡＭ１０と、ストリーム
分離部９から出力されたサブピクチャデータを入力して所定のデコード処理を行うサブピ
クチャデコーダ１３と、このサブピクチャデコーダ１３でのデコード処理を行うためにデ
ータを一時的に格納するＲＡＭ１２と、ストリーム分離部９から出力されたビデオデータ
を入力して所定のデコード処理を行うビデオデコーダ１５と、このビデオデコーダ１５で
のデコード処理を行うためにデータを一時的に格納するＲＡＭ１４とを備えている。
【００４０】
また、この光ディスク装置は、システムコントローラ２２の指示に応じてビデオデコー
ダ１５から出力されたデータとサブピクチャデコーダ１３から出力されたデータとを合成
したりするビデオプロセッサ１７と、タイトルサーチ、チャプターサーチ、トラックサー
チ、タイムサーチに関するサーチ選択画面のデータなど生成するＯＳＤ回路３５と、ビデ
オプロセッサ１７から出力された合成データやＯＳＤ回路３５から出力されたサーチ選択
画面などを表示用のビデオ信号に変換して画像をディスプレイ装置２０に表示させるビデ
オエンコーダ１８と、オーディオデコーダ１１から出力されたデータをアナログのオーデ
ィオ信号に変換して例えばスピーカ１９に供給するＤ／Ａ変換器１６とを備えている。
【００４１】
また、この光ディスク装置は、システムコントローラ２２に対して赤外線信号により、
再生指示を与えるための再生キー、記録指示を与えるための記録キー、再生停止や記録停
止を指示するための停止キー、および電源キーなどの各種操作キーを有するリモコン２１
と、装置全体を制御する前記システムコントローラ２２とを備えている。
【００４２】
また、この光ディスク装置は、装置の各構成要素を制御したり、装置全体を制御したり
するためのプログラムやデータが記憶されたフラッシュＲＯＭ２３と、このフラッシュＲ
ＯＭ２３のプログラムやデータに従って演算処理を行いシステムコントローラ２２を制御
するＣＰＵ２４と、このＣＰＵ２４の処理に必要なデータを一時的に格納するＲＡＭ２７
とを備えている。
【００４３】
また、この光ディスク装置は、図示しないテレビジョン受信機やパーソナルコンピュー
タなどから送られてきた映像音声データを光ディスク１に記録するために変調をかける記
録データ変調回路２５と、この記録データ変調回路２５により変調された変調データに基
づいて光ピックアップ２から出射するレーザ光を変調させるためのレーザ変調信号を光ピ
ックアップ２に出力するレーザ変調回路２６とを備えている。
【００４４】
システムコントローラ２２は、本実施形態の特徴として、ユーザのサーチ操作に応じて
、光ディスク１がＤＶＤにあっては、タイトルサーチ、チャプターサーチ、タイムサーチ
、光ディスク１がＣＤにあっては、トラックサーチ、タイムサーチの何れかに設定するサ
ーチ設定手段２２１と、前記サーチ設定手段２２１によりタイトルサーチまたはチャプタ
ーサーチまたはトラックサーチに設定されたときに、サーチ入力数字の最大の桁数を検出
するサーチ最大桁数検出手段２２２と、前記検出されたサーチ入力数字の最大桁数の桁数
目に入力された数字は最大数字以下であるか否かを判定する最大数字判定手段２２３と、
前記最大数字判定手段２２３により前記入力された数字は最大数字以下であると判定され
たとき、前記入力された数字を前記最大桁数の位の数字として登録する最大桁数位数字登
録手段２２４と、前記最大数字判定手段２２４により前記入力された数字は最大数字以下
でないと判定されたとき、前記入力された数字を前記最大桁数の位の下の位の数字として
登録する下位数字登録手段２２５と、１桁目への入力数字が最大数字を超えるときに該入
力数字を無効にする入力無効手段２２６とを有する。
【００４５】
また、システムコントローラ２２は、前記サーチ設定手段２２１によりタイムサーチに
設定されたときに、サーチ入力数字のサーチの最大時間数を検出するサーチ最大時間数検
出手段２２７と、前記検出されたサーチ入力数字の時間数の時間桁への入力数字は最大数
字であるか最大数字未満であるかを判定する最大数字／未満判定手段２２８と、前記最大
数字／未満判定手段２２８により前記入力数字は最大数字であると判定されたとき、前記
入力数字を時間桁の数字として登録する時間桁数字登録手段２２９と、前記時間桁数字登
録手段２２９により前記入力数字が時間桁の数字として登録された場合に、分桁の数字を
タイムサーチの最大の分の数字まで入力可能にする分数字入力可能手段２３０と、入力数
字が分桁の数字として登録された場合に、秒桁の数字をタイムサーチの最大の秒の数字ま
で入力可能にする秒数字入力可能手段２３１と、前記最大数字／未満判定手段２２８によ
り前記入力数字は最大数字未満であると判定されたとき、分桁および秒桁への数字はそれ
ぞれ０〜５９まで入力可能にする分秒数字入力可能手段２３２と、前記分数字入力可能手
段２３０または前記分秒数字入力可能手段２３２により入力可能になった範囲で入力され
た分桁の数字を登録する分桁数字登録手段２３３と、前記秒数字入力可能手段２３１また
は前記分秒数字入力可能手段２３２により入力可能になった範囲で入力された秒桁の数字
を登録する秒桁数字登録手段２３４とを有する。
【００４６】
図２は本実施形態の光ディスク装置を操作するリモコンのキー配置の一例を示す平面図
である。図２において、リモコン２１は、電源キーＡ、トレイ開閉用キーＢ、複数個の数
字キーＣ、サーチキーＤ、クリアキーＥ，上方向キーＦ、右方向キーＧ、下方向キーＨ、
左方向キーＩ、決定キーＪ、再生キーＫ、記録キーＬ、早戻しキーＭ、早送りキーＮ、停
止キーＯ、戻し方向のスキップキーＰ、送り方向のスキップキーＱ、スロー再生キーＲ、
一時停止キーＳ、メニューキーＴなどの操作キーを備えている。なお、これらの操作キー
の配置は、一例であるので、これに限ることはない。また、操作キーは、これら以外にも
あるが、ここでは図示を省略する。
【００４７】
図３は本実施形態において光ディスクがＤＶＤであってタイトルサーチする場合の数字
入力処理を説明するためのフローチャートである。このフローチャートおよび図１、図２
を参照してＤＶＤに対するタイトルサーチの数字入力処理について説明する。
【００４８】
先ず、再生すべきＤＶＤを光ディスク装置に装填した後、リモコン２１のメニューキー
Ｔを押下して、ディスプレイ装置２０に表示されたメニュー画面上のメニュー項目の中か
らタイトルサーチを、リモコン２１の方向キー（上方向キーＦ、右方向キーＧ、下方向キ
ーＨ、左方向キーＩ）の押下により選択して決定キーＪを押下すると、システムコントロ
ーラ２２のサーチ設定手段２２１は装置をタイトルサーチに設定する（ステップＳ１）。
【００４９】
なお、ここでは、タイトルサーチに設定するのに、メニュー画面上のメニュー項目の中
からタイトルサーチを選択したが、再生中にリモコン２１のサーチキーＤを押下して、タ
イトルサーチを選択すれば、タイトルサーチに設定することもできる。また、再生中にリ
モコン２１の一時停止キーＳを押下して再生を一時停止させた後、サーチキーＤを押下し
て、タイトルサーチを選択しても、タイトルサーチに設定することができる。
【００５０】
このようにしてタイトルサーチに設定されたとき、システムコントローラ２２のサーチ
最大桁数検出手段２２２は、ディスク情報によりサーチ入力数字の最大の桁数を検出する
。この例の場合、タイトルの個数（サーチ入力数字の最大の桁数）が２桁で「３７」の場
合と、タイトルの個数（サーチ入力数字の最大の桁数）が１桁で「８」の場合とを考える
。したがって、この例の場合、サーチ最大桁数検出手段２２２は、タイトルの個数（サー
チ入力数字の最大の桁数）が２桁であることを検出し（ステップＳ２）、この後、１回目
の数字入力として、リモコン２１の数字キーＣの数字３キーが押下されると（ステップＳ
３）、システムコントローラ２２の最大数字判定手段２２３は、前記検出されたサーチ入
力数字の最大桁数の桁数目に入力された数字（この場合「３」）は最大数字（この場合「
３」）以下であるか否かを判定する（ステップＳ４）。この場合、サーチ入力数字の最大
桁数の桁数目に入力された数字「３」は最大数字「３」であるので、システムコントロー
ラ２２の最大桁数位数字登録手段２２４は、数字「３」を１０の位の数字として登録する
（ステップＳ５）。
【００５１】
また、１回目の数字入力として、数字キーＣの数字２キーが押下された場合、同様な処
理により、数字「２」が１０の位の数字として登録される。また、１回目の数字入力とし
て、数字キーＣの数字１キーが押下された場合も、同様な処理により、数字「１」が１０
の位の数字として登録される。また、１回目の数字入力として、数字キーＣの数字０キー
が押下された場合も、同様な処理により、数字「０」が１０の位の数字として登録される
。
【００５２】
ところが、１回目の数字入力として、数字「３」よりも大きい例えば、数字「５」が入
力されると、システムコントローラ２２の下位数字登録手段２２５は、数字「５」を１の
位の数字として登録する（ステップＳ６）。
【００５３】
ステップＳ５において、入力数字が１０の位の数字として登録された後、１桁目の数字
として数字キー入力があり（ステップＳ７）、入力数字が最大数字以下であると（ステッ
プＳ８）、その入力数字が１の位の数字として登録される（ステップＳ９）。この例の場
合、タイトル「３５」をサーチするとした場合、数字「３」が１０の位の数字として登録
された後（ステップＳ５）、数字「５」が１の位の数字として登録される（ステップＳ９
）。
【００５４】
しかし、１桁目の数字としての数字キー入力が数字「８」や数字「９」であるときは、
入力数字はタイトルが「３７」の１桁目の数字「７」よりも大きくなるので、システムコ
ントローラ２２の入力無効手段２２６は、その数字「８」や数字「９」を無効にする（ス
テップＳ１０）。そして、もう一度、数字「７」以下の数字を入力すると、その数字が１
の位の数字として登録される（ステップＳ９）。
【００５５】
このようにして、１０の位の数字および１の位の数字、例えば、「３５」が登録された
後、リモコン２１の決定キーＪが押下されると（ステップＳ１１）、タイトル「３５」の
再生が開始し（ステップＳ１２）、再生が終了すれば（ステップＳ１３）、本処理は終了
するが、再生中に、再び、タイトルサーチを行えば、ステップＳ１〜ステップＳ１２の処
理が実行される。
【００５６】
以上説明した処理はタイトルの数字（個数）が２桁の場合であるが、タイトルの数字（
個数）が１桁の場合は、１桁目の数字として数字キー入力を行う（ステップＳ１４）。例
えば、タイトルが「８」であるとすると、１桁目への入力数字は「８」（最大数字）以下
となり（ステップＳ１５）、入力数字「１〜８」は有効として、１の位の数字として登録
されるが（ステップＳ１６）、入力数字が最大数字を超える場合（例えば入力数字が「９
」で最大数字「８」を超える場合）、その入力数字「９」の入力は無効とされる（ステッ
プＳ１７）。入力が無効とされた場合は、ステップＳ１４に戻り、同様な処理が行われ、
数字が１の位の数字として登録された後、決定キーＪが押下されることにより、該当タイ
トルの再生が行われる。なお、本処理では、タイトルの個数（サーチ入力数字の最大の桁
数）が２桁と１桁の場合について説明したが、タイトルの個数（サーチ入力数字の最大の
桁数）が３桁以上であっても、同様な処理が可能である。
【００５７】
以上説明したように、例えばタイトルの個数（サーチ入力数字の最大の桁数）が３７個
しかないＤＶＤに対してタイトルサーチを行う場合、１回目の数字入力時に「０」または
「１」または「２」または「３」が入力された場合は、１０の位の数字として登録され、
それ以上の数字が入力された場合は、１の位の数字として登録されるので、タイトルの個
数（サーチ入力数字の最大の桁数）の最大値（最大数字）を超えるような数字入力を制限
することができ、これにより、タイトルサーチにおける数字キー入力の使い勝手が向上し
、また、誤操作などの防止にも繋がる。
【００５８】
なお、上記実施形態では、ＤＶＤに対するタイトルサーチについて説明したが、チャプ
ターサーチについても、タイトルサーチをチャプターサーチに置き換えるだけで、同様な
処理が実行され、また、同様な効果が得られる。また、ＣＤに対するトラックサーチにつ
いても、前記タイトルサーチをトラックサーチに置き換えるだけで、同様な処理が実行さ
れ、また、同様な効果が得られる。
【００５９】
図４は本実施形態において光ディスクがＤＶＤであってタイムサーチする場合の数字入
力処理を説明するためのフローチャートである。このフローチャートおよび図１、図２を
参照してＤＶＤに対するタイムサーチの数字入力処理について説明する。
【００６０】
先ず、再生すべきＤＶＤを光ディスク装置に装填した後、リモコン２１のメニューキー
Ｔを押下して、ディスプレイ装置２０に表示されたメニュー画面上のメニュー項目の中か
らタイムサーチを、リモコン２１の方向キー（上方向キーＦ、右方向キーＧ、下方向キー
Ｈ、左方向キーＩ）の押下により選択して決定キーＪを押下すると、システムコントロー
ラ２２のサーチ設定手段２２１は装置をタイムサーチに設定する（ステップＮ１）。
【００６１】
なお、ここでは、タイムサーチに設定するのに、メニュー画面上のメニュー項目の中か
らタイムサーチを選択したが、再生中にリモコン２１のサーチキーＤを押下して、タイム
サーチを選択すれば、タイトルサーチに設定することもできる。また、再生中にリモコン
２１の一時停止キーＳを押下して再生を一時停止させた後、サーチキーＤを押下して、タ
イムサーチを選択しても、タイトルサーチに設定することができる。
【００６２】
このようにしてタイトルサーチに設定されたとき、システムコントローラ２２のサーチ
最大時間数検出手段２２７は、ディスク情報により、サーチ入力数字のサーチの最大時間
数を検出する（ステップＮ２）。この例の場合、サーチの最大時間数は１時間２３分４５
秒として説明する。
【００６３】
サーチ入力数字の時間桁の数字としてリモコン２１を操作して数字キー入力が行われる
と（ステップＮ３）、システムコントローラ２２の最大数字／未満判定手段２２８は、１
回目の入力数字が最大数字（この例では「１」）であるか最大数字未満であるかを判定す
る（ステップＮ４）。前記入力数字が最大数字（この例では「１」）であると判定された
とき、システムコントローラ２２の時間桁数字登録手段２２９は、前記入力数字「１」を
時間桁の数字として登録する（ステップＮ５）。
【００６４】
この後、システムコントローラ２２の分数字入力可能手段２３０は、分桁の数字をタイ
ムサーチの最大の分の数字まで入力可能にする（ステップＮ６）。この例の場合、最大の
分の数字は、「２３」であるので、分桁の数字は「２３」まで入力可能にする。そして、
サーチ入力数字の分桁の数字としてリモコン２１を操作して数字キー入力が行われると（
ステップＮ６）、システムコントローラ２２の分桁数字登録手段２３３は、前記分桁の数
字として入力された数字（この場合、「２３」）を登録する（ステップＮ７）。
【００６５】
次に、システムコントローラ２２の秒桁数字登録手段２３４は、秒桁の数字をタイムサ
ーチの最大の秒の数字まで入力可能にする（ステップＮ８）。この例の場合、最大の秒の
数字は、「４５」であるので、秒桁の数字は「４５」まで入力可能にする。そして、サー
チ入力数字の秒桁の数字としてリモコン２１を操作して数字キー入力が行われると（ステ
ップＮ９）、システムコントローラ２２の秒桁数字登録手段２３４は、前記秒桁の数字と
して入力された数字（この場合「４５」）を登録する（ステップＮ１０）。
【００６６】
この後、リモコン２１の決定キーＪが押下されると（ステップＮ１６）、この例の場合
、タイムサーチ「１：２３：４５」でＤＶＤまたはＣＤの光ディスク１に対する再生が開
始され（ステップＮ１７）、再生が終了すれば（ステップＮ１８）、本処理は終了するが
、再生中に、再び、タイムサーチを行えば、ステップＮ１からの処理が実行される。
【００６７】
一方、ステップＮ４において、入力数字が最大数字未満であると判定された場合、この
例では、時間の数字「１」未満の数字は「０」であると判定された場合、システムコント
ローラ２２の分秒数字入力可能手段２３２は、分桁および秒桁への数字を「０〜５９」ま
で入力可能にする（ステップＮ１１）。そして、サーチ入力数字の分桁の数字としてリモ
コン２１を操作して数字キー入力が行われると（ステップＮ１２）、システムコントロー
ラ２２の分桁数字登録手段２３３は、前記分桁の数字として入力された数字（この場合「
０〜５９」までの何れかの数字）を登録する（ステップＮ１３）。
【００６８】
この後、サーチ入力数字の秒桁の数字としてリモコン２１を操作して数字キー入力が行
われると（ステップＮ１４）、システムコントローラ２２の秒桁数字登録手段２３４は、
前記秒桁の数字として入力された数字（この場合「０〜５９」までの何れかの数字）を登
録する（ステップＮ１５）。
【００６９】
ステップＮ１５の処理の後、リモコン２１の決定キーＪが押下されると（ステップＮ１
６）、この例の場合、タイムサーチ「０：０〜５９：０〜５９」でＤＶＤまたはＣＤの光
ディスクに対する再生が開始され（ステップＮ１７）、再生が終了すれば（ステップＮ１
８）、本処理は終了するが、再生中に、再び、タイムサーチを行えば、ステップＮ１から
の処理が実行される。
【００７０】
以上説明したように、入力する数字が互いに関係し合うタイムサーチにおいても、サー
チ不可能な数字は入力させない。例えば、１：２３：４５のタイトルをタイムサーチする
場合、「時」の入力は「０」「１」のみとなり、「０」を入力した場合は、「分」および
「秒」は「０〜５９」まで入力可能であるが、「１」を入力した場合は、「分」は「０〜
２３」まで、更に「分」に「２３」を入力した場合は、「秒」は「４５」まで入力が可能
となる。このような処理を行うことにより、タイムサーチにおける数字キー入力の使い勝
手が向上し、また、誤操作などの防止にも繋がる。
【図面の簡単な説明】
【００７１】
【図１】本発明の一実施形態に係る光ディスク装置の構成を示すブロック図である。
【図２】前記実施形態の光ディスク装置を操作するリモコンのキー配置の一例を示す平面図である。
【図３】前記実施形態において光ディスクがＤＶＤであってタイトルサーチする場合の数字入力処理を説明するためのフローチャートである。
【図４】前記実施形態において光ディスクがＤＶＤであってタイムサーチする場合の数字入力処理を説明するためのフローチャートである。
【符号の説明】
【００７２】
１    光ディスク
２２    システムコントローラ
２２１    サーチ設定手段
２２２    サーチ最大桁数検出手段
２２３    最大数字判定手段
２２４    最大桁数位数字登録手段
２２５    下位数字登録手段
２２６    入力無効手段
２２７    サーチ最大時間数検出手段
２２８    最大数字／未満判定手段
２２９    時間桁数字登録手段
２３０    分数字入力可能手段
２３１    秒数字入力可能手段
２３２    分秒数字入力可能手段
２３３    分桁数字登録手段
２３４    秒桁数字登録手段
【図１】
2007080350.tif 000003
【図２】
2007080350.tif 000004
【図３】
2007080350.tif 000005
【図４】
2007080350.tif 000006